(57)【要約】      （修正有）【課題】ゴルフボールをグランドから浮かせて打球するゴルフティーであって、特に、打球した際のクラブの抜けを向上させるとともに、ティーの高さを任意に調節することができ、さらに、打球の際のティーの紛失を防ぐことができるゴルフティーを提供する。【解決手段】台盤１１と、台盤１１上に立設された、上面に開口部１３を有する筒状体１２とからなる基台部１０と、前記筒状体に挿入され立設されるボール保持具２０と、基台１０とボール保持具２０とを連結する連結紐３０と、を備えることを特徴とする。また、前記筒状体内に錘体４０を配設させ、さらに、前記ボール保持具の下部に緩衝部材５０を装着した。【選択図】図１
0003186742.tif 000002
【実用新案登録請求の範囲】
【請求項１】
ゴルフボールをグランドから浮かせて打球するゴルフティーであって、該ゴルフティーは、台盤と、台盤上に立設された、上面に開口部を有する筒状体とからなる基台部と、前記筒状体に挿入して立設するボール保持具と、基台とボール保持具とを連結する連結紐と、を備えることを特徴とするゴルフティー。
【請求項２】
前記筒状体内に錘体を配設させた請求項１記載のゴルフティー。
【請求項３】
前記ボール保持具の下部に緩衝部材を装着した請求項１または２記載のゴルフティー。
【考案の詳細な説明】
【技術分野】
【０００１】  本考案は、ゴルフボールをグランドから浮かせて打球するゴルフティーであって、特に、打球した際のクラブの抜けを向上させるとともに、ティーの紛失を防ぐことができるゴルフティーに関する。
【背景技術】
【０００２】  一般的に、ゴルフボールをグランドから浮かせて打球するには、ゴルフティーをグランドに刺し、ティー上部にボールを載せて打球していた。しかしながら、冬季においては凍結した地面にティーを刺し込むことが困難であった。また、円形状の台盤に筒状のボール載置具を立設したゴム製のティーも使用されるが、打球の際にティーが飛んでしまい利便性を低下させるという問題があった。【０００３】  また、ゴルフティーに関する先行技術として、クラブのヘッドスピードをボールに伝え、打撃時のショックを少なくして、クラブヘッドの損傷が防げ、かつ、ティーグランドを荒らすことがなく、構造が簡単で安価に製作できるゴルフティーがある（例えば特許文献１参照）。
上掲特許文献１のゴルフティーは、ゴルフボールの直径の８８％から６５％の内径を有するゴム又は紙又はプラスチックからなる薄肉の円筒状の中空リングであって、高さが５ｍｍから５０ｍｍであることを特徴とするものである。
【先行技術文献】
【特許文献】
【０００４】
【特許文献１】特開２００１−２５９１００号公報
【考案の概要】
【考案が解決しようとする課題】  しかしながら、特許文献１のゴルフティーは、打球の際にティー自体が飛んでしまうという問題を解消できなかった。またティーアップの際、ボールを任意の高さに調節することも不可能であった。【０００５】  そこで本考案は上記の点に鑑み、ゴルフボールをグランドから浮かせて打球するゴルフティーであって、特に、打球した際のクラブの抜けを向上させるとともに、ティーの高さを任意に調節することができ、さらに、打球の際のティーの紛失を防ぐことができるゴルフティーを提供することにある。
【解決を解決するための手段】
【０００６】  上記課題を解決するために本考案のゴルフティーは、ゴルフボールをグランドから浮かせて打球するゴルフティーであって、該ゴルフティーは、台盤と、台盤上に立設された、上面に開口部を有する筒状体とからなる基台部と、前記筒状体に挿入され立設されるボール保持具と、基台とボール保持具とを連結する連結紐と、を備えることを特徴とする。
【０００７】  また、前記筒状体内に錘体を配設させた。
【０００８】  さらに、前記ボール保持具の下部に緩衝部材を装着した。
【考案の効果】
【０００９】  本考案のゴルフティーは、台盤と、台盤上に立設された、上面に開口部を有する筒状体とからなる基台部と、前記筒状体に挿入して立設するボール保持具と、基台とボール保持具とを連結する連結紐と、を備えることにより、ボールを打球した際、基台部とボール保持具とが分離せず、ティーが紛失することがない。
【００１０】  また、前記筒状体内に錘体を配設させたことにより、安定性が増すとともに、強打した際でも、基台部とボール保持具とが遠方に飛んでしまうことも解消できる。
【図面の簡単な説明】
【００１１】
【図１】本考案におけるゴルフティーの全体斜視図である。
【図２】前記ゴルフティーの断面図である。
【図３】本考案のゴルフティーによる打球時の断面図である。
【図４】ボールを打ち抜いた状態の断面図である。
【図５】ティーショット後の断面図である。
【考案を実施するための形態】
【００１２】  本考案のゴルフティーは、打球した際のクラブの抜けを向上させるとともに、ティーの高さを任意に調節することができ、さらに、打球の際のティーの紛失を防ぐことを特徴とするものである。
以下、本考案のゴルフティーにおける実施の形態を図面に基づいて説明する。
【００１３】  図１に示すゴルフティー１は、台盤１１と、台盤１１上に立設された、上面に開口部１３を有する筒状体１２とからなる基台部１０と、前記筒状体１２内に挿入して立設するボール保持具２０と、前記基台１０とボール保持具２０とを連結する連結紐３０とを備える。
【００１４】  前記基台部１０は、柔軟性を有するゴム部材からなり、円盤状の台盤１１と、台盤１１の略中央に立設する筒状体１２とからなり、筒状体１２の上部開口部１３には、ボール保持具２０が挿入され立設される。特に前記基台部１０は、一般のゴルフ練習場で打球の練習に用いられるゴム製のティーが好適に使用される。
【００１５】  ボール保持具２０は、筒状の本体部２１と、本体部２１の上部に形成されたボール載置部２２と、本体部２１の下部に設置された挿入部２３とからなる。前記ボール保持具２０は、挿入部２３より前記筒状体１２の内部に挿入される。
【００１６】  また前記基台部１０とボール保持具２０とは、連結紐３０にて連結されている。前記連結紐３０の一端は、前記基台部１０の台盤１１に穿孔されている開孔部１４に、他端は、前記ボール保持具２０の基部に連結されている。なお、前記連結紐３０の長さや素材は特に限定されたものではなく、適宜強度を有するものであれば、如何なる素材のものでも使用することができる。
【００１７】  また特に、前記筒状体１２の内部には錘体４０が収容されている。錘体４０は、装着性や利便性を考慮した場合、金属製の球体で形成することが好ましい。筒状体１２の内部に錘体４０を収容させることで、基台部１０の安定性を高めるとともに、ボールを強打した際でも、基台部１０とボール保持具２０とが遠方に飛んでしまうことも解消できる。なお、前記錘体４０は、筒状体１２の底部に配置させることが特に好ましい。
【００１８】  さらに、前記ボール保持具２０の下部の挿入部２３には、緩衝部材５０が装着されている。緩衝部材５０は、スポンジ等の緩衝性の高い材質で形成されている。前記ボール保持具２０の挿入部２３を筒状体１２の開口部１３内に挿入することで、ボール保持具２０を安定した状態に立設することができる。
【００１９】  また、挿入部２３に緩衝部材５０を装着することで、打球の際にゴルフクラブがボール保持具２０当たった際でも、ボール保持具２０がスムーズに抜け出る。そのことにより、打球した際のクラブの抜けを向上させることができる。さらに、緩衝部材５０を装着することで、ボール保持具２０の高さを任意に調節することも可能となる。
【００２０】  次に、本考案のゴルフティーの使用状態を図３乃至５に基づいて説明する。
先ず図３に示すように、基台部１０をグランド上に配設させ、筒状体１２の開口部１３内にボール保持具２０を装着し、ボール載置部２２にゴルフボールＡを載置する。この際、基台部１０とボール保持具２０とは、連結紐３０にて連結されている。
【００２１】  ゴルフボールＡを載置した後、通常のようにゴルフクラブでボールを打球する。すると、図４に示すように、ボールＡが打ち出されるとともに、ボール保持具２０も開口部１３より抜け出る。この際、打球の強さやヒットする箇所により、基台部１０も打ち出される可能性が生じる。しかしながら、基台部１０の筒状体１２内には錘体４０が収容されているため、遠方に飛んだり、裏返しになったりする可能性が少ない。
【００２２】  また、ボール保持具２０の挿入部２３に緩衝部材５０が装着されていることにより、打球した際、ボール保持具２０がスムーズに抜け出るため、打球した際のクラブの抜けを向上させることができる。
【００２３】  ボールＡが打ち出されると、図５に示すように、ボール保持具２０は連結紐３０の長さの範囲内に配置される。そのことにより、従来のように遠方に飛んだティーを拾いに行ったり、長時間捜したりする手間を省くことができる。
【符号の説明】
【００２４】１    ゴルフティー
１０  基台部
１１  台盤
１２  筒状体
１３  開口部
１４  開孔部
２０  ボール保持具
２１  本体部
２２  ボール載置具
２３  挿入部
３０  連結紐
４０  錘体
５０  緩衝部材
Ａ    ゴルフボール
【図１】
0003186742.tif 000003
【図２】
0003186742.tif 000004
【図３】
0003186742.tif 000005
【図４】
0003186742.tif 000006
【図５】
0003186742.tif 000007